(57)【要約】【課題】高精度な加工や組立が不要で、扉等の取付部材の歪みの影響を受けることなく荷重の負担や剛性が確保され、メンテナンス性も良好なプラットホーム用可動柵装置を得る。【解決手段】プラットホーＰＦムに対し直立状態で配設される扉２Ａ，２Ｂの延在方向への移動を直線的に案内するガイドレール４ａ，４ｂと、扉２Ａ，２Ｂに設けられる複数個のローラ３ａ，３ｂとを備え、ガイドレール４ａ，４ｂを上下方向に突出する凸形状の断面を持つ構成として配置するとともに、ローラ３ａ，３ｂの周面を凹形状の係合面として、前記ローラの周面を前記凸形状の断面を持つガイドレール４ａ，４ｂに係合させ、ガイドレール４ａ，４ｂにより扉２Ａ，２Ｂの開閉移動を案内させるようにした。【選択図】図１
2006219038.tif 000002
【特許請求の範囲】
【請求項１】
プラットホームに対し直立状態で配設される扉の開閉移動を直線的に案内するガイドレールと、前記扉に設けられる複数個のローラとを備え、前記ガイドレールを上下方向に突出する凸形状の断面を持つ構成として配置するとともに、前記ローラの周面を凹形状の係合面として、前記ローラの周面を前記凸形状の断面を持つガイドレールに係合させ、前記ガイドレールにより前記扉の開閉移動を案内させるようにしたことを特徴とするプラットホーム用可動柵装置。
【請求項２】
前記ガイドレールをプラットホームに対し直立状態で配設される前記扉の上下方向中央部に対応して配置したことを特徴とする請求項１に記載のプラットホーム用可動柵装置。
【請求項３】
前記扉を開閉移動させるための駆動モータを、前記扉の中央部に対応して配置されたガイドレールに対し上下方向の外側に配置したことを特徴とする請求項２に記載のプラットホーム用可動柵装置。
【請求項４】
互いに反対方向に移動可能な対をなす扉をそれぞれ案内する共通のガイドレールを設けたことを特徴とする請求項１から請求項３までのいずれかに記載のプラットホーム用可動柵装置。
【発明の詳細な説明】
【技術分野】
【０００１】
この発明は、プラットホームの前端縁に設けられるプラットホーム用可動柵装置に関するものである。
【背景技術】
【０００２】
従来技術によるプラットホーム用可動柵装置の扉支持構造の典型的な例では、開閉する扉の支持は、直動ガイドにより行われている（例えば、特許文献１参照）。
このような直動ガイドは、一般にレール部とスライドブロックから構成されるが、それぞれを取付ける部材には、高精度な取付面を必要とし、これらの精度が悪いと動きが重くなったり、寿命の信頼性が低下する要因になった。
さらに、取付面の精度が良好な場合でも、負荷による全体フレームの変形や歪により同様の現象が発生する。特許文献１に示された装置も、こうした精度や歪による直動ガイドへの影響を最小にするための方式である。
そして、直動ガイドは、外部環境からの塵埃や異物に非常にデリケートであり、こうしたものがスライドブロック内部に侵入した場合、早期に寿命に至る可能性があるため、スライドブロックには、シール構造をとり異物の侵入を防止する必要があった。
【０００３】
【特許文献１】特開平９−２２６５６８号公報
【発明の開示】
【発明が解決しようとする課題】
【０００４】
この発明は、高精度な加工や組立が不要で、扉等の取付部材の歪みの影響を受けることなく荷重の負担や剛性が確保され、メンテナンス性も良好なプラットホーム用可動柵装置を得ようとするものである。
【課題を解決するための手段】
【０００５】
この発明に係るプラットホーム用可動柵装置では、扉の開閉移動を直線的に案内するガイドレールと、前記扉に設けられる複数個のローラとを備え、前記ガイドレールを上下方向に突出する凸形状の断面を持つ構成として配置するとともに、前記ローラの周面を凹形状の係合面として、前記ローラの周面を前記凸形状の断面を持つガイドレールに係合させ、前記ガイドレールにより前記扉の開閉移動を案内させるようにしたものである。
【発明の効果】
【０００６】
この発明によれば、高精度な加工や組立が不要で、扉等の取付部材の歪みの影響を受けることなく荷重の負担や剛性が確保され、メンテナンス性も良好なプラットホーム用可動柵装置を得ることができる。
【発明を実施するための最良の形態】
【０００７】
実施の形態１．
この発明による実施の形態を図１から図３までについて説明する。図１はこの発明による実施の形態におけるプラットホーム用可動柵装置の扉開状態での構成を示す側面図である。図２はこの発明による実施の形態におけるプラットホーム用可動柵装置の扉閉状態での構成を示す側面図である。図３は図１のIII−III線における断面図である。
【０００８】
図において、フレーム１からなる構造体がプラットホームＰＦに植設状態で据付けられる。扉２Ａ，２Ｂはフレーム１に支持されることにより、プラットホームＰＦに対し直立状態で配設される。
図１および図２に示すように、扉２Ａ，２Ｂは左右対称に２枚構成として設けられている。これは、片側の扉のみ１枚とする場合もある。
扉２には、扉２を開閉移動するためのローラ３ａ，３ｂが扉２の１枚に対して少なくとも２個取り付けられている。ローラ３ａ，３ｂはプラットホームＰＦに対し直立状態で配設される扉２Ａ，２Ｂの一方の側面に設けられ、扉２Ａ，２Ｂの他方の側面にはローラ３ｃ，３ｄが設けられる。
【０００９】
そして、開放方向または閉合方向に移動する扉２Ａ，２Ｂの延在方向に扉２Ａ，２Ｂの開閉移動を直線的に案内するためのガイドレール４ａ，４ｂおよびガイドレール４ｃ，４ｄがフレーム１に水平状態でそれぞれ取り付けられている。
扉２Ａ，２Ｂの１枚それぞれに複数個設けられたローラ３ａ，３ｂおよびローラ３ｃ，３ｄがガイドレール４ａ，４ｂおよびガイドレール４ｃ，４ｄに係合し、扉２Ａ，２Ｂの開閉移動がガイドレール４ａ，４ｂおよびガイドレール４ｃ，４ｄにより案内される。
図３に示すように、扉２Ａ，２Ｂをそれぞれ両サイドで支持する場合は、両サイド１対のローラ３ａ，３ｂおよびローラ３ｃ，３ｄが両サイドそれぞれに少なくとも２箇所で支持することになる。
ここで、これらのガイドレール４ａ，４ｂおよびガイドレール４ｃ，４ｄは、２つのローラ３ａ，３ｂおよびローラ３ｃ，３ｄを挟み込むような形で、フレーム１全体の上下中央部における扉Ａ，２Ｂの重心位置に近い位置に配置されている。
【００１０】
ガイドレール４ａ，４ｂは、上下方向に突出する凸形状の断面を持つ構成とされ、断面が山形状を持つ案内部ＭＳが設けられた構成とされている。
ガイドレール４ａ，４ｂに係合するローラ３ａ，３ｂの外周面は凹形状の係合面とされ、ローラ３ａ，３ｂの外周面には、断面Ｖ字状の谷溝ＶＣが設けられている。外周面が凹形状の係合面とされ断面Ｖ字状の谷溝ＶＣが設けられたローラ３ａ，３ｂの外周面は、上下方向に突出する凸形状の断面を持つ構成とされたガイドレール４ａ，４ｂに設けられた断面山形状の案内部ＭＳと係合する。上下方向に突出する凸形状の断面を持つ構成とされたガイドレール４ａ，４ｂに設けられた断面山形状の案内部ＭＳが外周面が凹形状の係合面とされ断面Ｖ字状の谷溝ＶＣが設けられたローラ３ａ，３ｂの谷溝ＶＣに入り込む形となる。
図３に示すように、扉２Ａ，２Ｂをそれぞれ両サイドで支持する場合は、ローラ３ｃ，３ｄは外周面がフラットに構成された円板状でよく、ガイドレール４ｃ，４ｄも上下方向に突出する凸形状の断面を持つ構成としなくて充分である。
【００１１】
扉２Ａのローラ取付部ＲＭに設けられたローラ３ａは、その谷溝ＶＣをガイドレール４ｂよりも上下方向の外側に配置されたガイドレール４ａの下面に設けられた断面山形状の案内部ＭＳに係合する。
扉２Ａのローラ取付部ＲＭに設けられたローラ３ｂは、その谷溝ＶＣをガイドレール４ａの上面に設けられた断面山形状の案内部ＭＳに係合する。
ローラ３ａ，３ｂは、扉２Ａのローラ取付部ＲＭの一方の側面部、すなわち、図３におけるローラ取付部ＲＭの左側面部に設けられ、扉２Ａの左側面部に設けられている。
そして、ローラ３ａ，３ｂと同一軸線上にローラ３ｃ，３ｄが、扉２Ａのローラ取付部ＲＭの他方の側面部、すなわち、図３におけるローラ取付部ＲＭの右側面部にそれぞれ設けられ、扉２Ａの左側面部に配置されている。
【００１２】
扉２Ｂのローラ取付部ＲＭに設けられたローラ３ａは、その谷溝ＶＣをガイドレール４ｂよりも上下方向の外側に配置されたガイドレール４ａの上面に設けられた断面山形状の案内部ＭＳに係合する。
扉２Ｂのローラ取付部ＲＭに設けられたローラ３ｂは、その谷溝ＶＣをガイドレール４ａの下面に設けられた断面山形状の案内部ＭＳに係合する。
ローラ３ａ，３ｂは、扉２Ｂのローラ取付部ＲＭの一方の側面部、すなわち、図３におけるローラ取付部ＲＭの左側面部に設けられ、扉２Ｂの左側面部に設けられている。
そして、ローラ３ａ，３ｂと同一軸線上にローラ３ｃ，３ｄが、扉２Ｂのローラ取付部ＲＭの他方の側面部、すなわち、図３におけるローラ取付部ＲＭの右側面部にそれぞれ設けられ、扉２Ｂの左側面部に配置されている。
【００１３】
扉２Ａ，２Ｂを開閉移動するための駆動モータ５の出力は、フレーム１に取付けられたたプーリ６，７を介し歯付きベルト８を駆動することにより、この歯付きベルト８と扉２Ａ，２Ｂを接続するよう扉２Ａ，２Ｂに取付けられたブラケット９に伝達され、扉２Ａ，２Ｂをこの駆動力により、ローラローラ３ａ，３ｂおよびローラ３ｃ，３ｄがガイドレール４ａ，４ｂおよび４ｃ，４ｄ４上を回転可能に支持され開閉移動することになる。
駆動モータ５はガイドレール４ａ，４ｂの上下方向の外側に配設され、装置構成を全体としてコンパクトなものとすることができ。
【００１４】
図１および図２に示すように、扉が扉２Ａ，２Ｂとして左右２枚の場合、レール４が中央に配置されているため、右扉２Ｂの下側レールと、左側扉２Ａの上側レールは一体化し１本の型レール４ｂとして扉２Ａ，２Ｂで共通に適用することができる。
【００１５】
図１は、扉２Ａ，２Ｂの開放状態を示し、図２は、２枚の扉２Ａ，２Ｂが同時に出て、柵が閉じた閉合状態を示す（必要に応じ開閉は、片側のみでも良い）。
【００１６】
この発明による実施の形態では、こうした構造を採ることにより、直動ガイドに必要な高精度な加工・組立てが不要になり、取付部材である扉やフレームの歪の影響も受けにくくなり、直動ガイドで期待される荷重の負担や剛性が確保され、コンパクトなプラットホーム用可動柵装置を提供できる。
また、直動ガイドでは、環境からの粉塵に対し非常にデリケートでシール構造を必要としていたのに対し、粉塵に対し影響を受けにくく、レールを山形にすることにより異物が残留しない、あるいは粉塵等の付着にも拭取り易くメンテナンス性が良好である。
【００１７】
この発明による実施の形態によれば、プラットホームＰＦに対し直立状態で配設される扉２Ａ，２Ｂの延在方向への開閉移動を直線的に案内するガイドレール４ａ，４ｂと、前記扉２Ａ，２Ｂに設けられる複数個のローラ３ａ，３ｂとを備え、前記ガイドレール４ａ，４ｂを断面が山形状を持つ案内部ＭＳが設けられた構成であって上下方向に突出する凸形状の断面を持つ構成として配置するとともに、前記ローラローラ３ａ，３ｂの外周面を断面Ｖ字状の谷溝ＶＣが設けられた凹形状の係合面として、前記ローラ３ａ，３ｂの外周面を前記凸形状の断面を持つガイドレールに係合させ、前記ガイドレール４ａ，４ｂにより前記扉２Ａ，２Ｂの開閉移動を案内させるようにしたので、高精度な加工や組立が不要で、扉等の取付部材の歪みの影響を受けることなく荷重の負担や剛性が確保され、メンテナンス性も良好なプラットホーム用可動柵装置を得ることができる。
【００１８】
また、この発明による実施の形態によれば、前項における構成において、前記ガイドレール４ａ，４ｂをプラットホームＰＦに対し直立状態で配設される前記扉２Ａ，２Ｂの重心位置に近い上下方向中央部に対応して配置したので、高精度な加工や組立が不要で、扉等の取付部材の歪みの影響を受けることなく荷重の負担や剛性が確保され、メンテナンス性も良好であって、しかも、扉が重心位置近くで支承され扉を円滑に開閉移動できるプラットホーム用可動柵装置を得ることができる。
【００１９】
さらに、この発明による実施の形態によれば、前記扉を開閉移動させるための駆動モータ５を、前記扉２Ａ，２Ｂの上下方向中央部に対応して配置されたガイドレール４ａ，４ｂに対し上下方向の外側に配置したので、高精度な加工や組立が不要で、扉等の取付部材の歪みの影響を受けることなく荷重の負担や剛性が確保され、メンテナンス性も良好であって、しかも、コンパクトな構成とすることができるプラットホーム用可動柵装置を得ることができる。
【００２０】
そして、この発明による実施の形態によれば、前３項のいずれかの構成において、互いに反対方向に移動可能な対をなす扉２Ａ，２Ｂをそれぞれ案内する共通のガイドレール４ｂを設けたので、高精度な加工や組立が不要で、扉等の取付部材の歪みの影響を受けることなく荷重の負担や剛性が確保され、メンテナンス性も良好であって、しかも、ガイドレールを対をなす扉で共通とすることによりコンパクトな構成とすることができるプラットホーム用可動柵装置を得ることができる。
【００２１】
この発明による実施の形態では、次のような構成が提案されている。
（１）１枚の扉に対して、谷溝を有するローラを少なくとも２つ配置し、これを案内する山形状を持つレールを、扉中央部に配置したこと。
（２）扉開閉の駆動モータを、扉中央のガイドに対し外側に配置したこと。
（３）扉が左右一対の２枚扉の場合、左右の扉用レールの一方を一体化したことを特徴とする、プラットホーム用可動柵装置。
こうした構成により、直動ガイドに必要な高精度な加工・組立てが不要になり、取付部材である扉やフレームの歪の影響も受けにくくなり、直動ガイドで期待される荷重の負担や剛性が確保され、コンパクトなプラットホーム用可動柵装置を提供できる。
また、直動ガイドでは、環境からの粉塵に対し非常にデリケートでシール構造を必要としていたのに対し、粉塵に対し影響を受けにくく、レールを山形にすることにより異物が残留しない、あるいは粉塵等の付着にも拭取り易くメンテナンス性が良好である。
【図面の簡単な説明】
【００２２】
【図１】この発明による実施の形態におけるプラットホーム用可動柵装置の扉開状態での構成を示す側面図である。
【図２】この発明による実施の形態におけるプラットホーム用可動柵装置の扉閉状態での構成を示す側面図である。
【図３】図１のIII−III線における断面図である。
【符号の説明】
【００２３】
１  フレーム、２  扉、３  ローラ、４  レール、  ５  モータ、６，７  プーリ、８  歯付きベルト、９  ブラケット。
【図１】
2006219038.tif 000003
【図２】
2006219038.tif 000004
【図３】
2006219038.tif 000005